(57)【特許請求の範囲】
【請求項１】
ユーザデータ追跡方法であって、
ユーザ装置（ＵＥ）がサービスセルの基地局にアクセスする場合、前記サービスセルの基地局が前記ＵＥにＵＥグローバルレコード識別子（ＵＥＲｅｃｏｒｄＩｄ）を割り当てることと、
前記ＵＥがターゲットセルの基地局に切り替えられた場合、前記ターゲットセルの基地局よりバックエンドネットワークマネージャ又は第三者アプリケーションに報告される前記ＵＥのデータ情報に前記ＵＥＲｅｃｏｒｄＩｄを載せるように、前記サービスセルの基地局が前記ＵＥのＵＥＲｅｃｏｒｄＩｄを前記ターゲットセルの基地局に送信することであって、Ｓ１切り替えシーンまたはＸ２切り替えシーンにおいて、前記サービスセルの基地局が、前記ターゲットセルの基地局に送信される切り替えリクエスト（Ｈａｎｄｏｖｅｒ  Ｒｅｑｕｉｒｅｄ）にセルを追加して前記ＵＥＲｅｃｏｒｄＩｄを載せることと、
前記サービスセルの基地局が前記ＵＥＲｅｃｏｒｄＩｄを載せる前記ＵＥのデータ情報を前記バックエンドネットワークマネージャ又は第三者アプリケーションに報告することとを含む、
ユーザデータ追跡方法。
【請求項２】
前記サービスセルの基地局が前記ＵＥに割り当てたＵＥＲｅｃｏｒｄＩｄは前記サービスセルの基地局における他のＵＥのＵＥＲｅｃｏｒｄＩｄと重複せず、前記ＵＥＲｅｃｏｒｄＩｄは前記ネットワークマネージャバックエンド又は第三者アプリケーションが前記ＵＥのデータ情報を追跡することに用いられる
請求項１に記載のユーザデータ追跡方法。
【請求項３】
前記ＵＥのデータ情報は、ＵＥのアクセス情報、ＵＥ能力情報、ＵＥの切り替え情報、およびＵＥの解放情報の少なくとも一つを含むことを含む
請求項１に記載のユーザデータ追跡方法。
【請求項４】
前記サービスセルの基地局が前記ＵＥＲｅｃｏｒｄＩｄを載せるＵＥのデータ情報を前記バックエンドネットワークマネージャ又は第三者アプリケーションに報告することは、前記サービスセルの基地局が基地局追跡ログを前記ネットワークマネージャバックエンド又は第三者アプリケーションに報告する時に、前記基地局追跡ログのＵＥデータ情報に前記ＵＥのＵＥＲｅｃｏｒｄＩｄを載せることを含む
請求項１〜３のいずれか１項に記載のユーザデータ追跡方法。
【請求項５】
ユーザデータ追跡方法であって、
前記バックエンドネットワークマネージャ又は第三者アプリケーションが基地局から報告された前記基地局追跡ログを受信した場合に、復号して同じＵＥＲｅｃｏｒｄＩｄを含むデータを抽出することを含む、
請求項４に記載のユーザデータ追跡方法。
【請求項６】
ユーザデータ追跡装置であって、
ＵＥがサービスセルの基地局にアクセスする場合、前記ＵＥにＵＥグローバルレコード識別子（ＵＥＲｅｃｏｒｄＩｄ）を割り当てるように構成される割り当てモジュールと、
前記ＵＥがターゲットセルの基地局に切り替えられた場合、前記ターゲットセルの基地局よりバックエンドネットワークマネージャ又は第三者アプリケーションに報告される前記ＵＥのデータ情報に前記ＵＥＲｅｃｏｒｄＩｄを載せるように、前記ＵＥのＵＥＲｅｃｏｒｄＩｄを前記ターゲットセルの基地局に送信するように構成される送信モジュールであって、Ｓ１切り替えシーンまたはＸ２切り替えシーンにおいて、前記サービスセルの基地局が、前記ターゲットセルの基地局に送信される切り替えリクエスト（Ｈａｎｄｏｖｅｒ  Ｒｅｑｕｉｒｅｄ）にセルを追加して前記ＵＥＲｅｃｏｒｄＩｄを載せる、送信モジュールと、
前記ＵＥＲｅｃｏｒｄＩｄを載せる前記ＵＥのデータ情報を報告するように構成される報告モジュールとを含む、
ユーザデータ追跡装置。
【請求項７】
前記割り当てモジュールが前記ＵＥに割り当てたＵＥＲｅｃｏｒｄＩｄは前記サービスセルの基地局における他のＵＥのＵＥＲｅｃｏｒｄＩｄと重複せず、前記ＵＥＲｅｃｏｒｄＩｄは前記ネットワークマネージャバックエンド又は第三者アプリケーションが前記ＵＥのデータ情報を追跡するために構成される
請求項６に記載のユーザデータ追跡装置。
【請求項８】
前記報告モジュールから報告される前記ＵＥのデータ情報は、ＵＥのアクセス技術、ＵＥ能力情報、ＵＥの切り替え情報、およびＵＥの解放情報の少なくとも一つを含む
請求項６に記載のユーザデータ追跡装置。
【請求項９】
前記報告モジュールはさらに基地局追跡ログをネットワークマネージャバックエンド又は第三者アプリケーションに報告する際に、前記基地局追跡ログのＵＥデータ情報に前記ＵＥのＵＥＲｅｃｏｒｄＩｄを載せるように構成される
請求項６〜８のいずれか１項に記載のユーザデータ追跡装置。
【請求項１０】
前記ユーザデータ追跡装置は、前記バックエンドネットワークマネージャ又は第三者アプリケーションに位置し、
基地局から報告された前記基地局追跡ログを受信し、前記基地局追跡ログをユーザデータ抽出モジュールに送信するように構成される受信モジュールと、
受信された前記基地局追跡ログを復号して同じＵＥＲｅｃｏｒｄＩｄを含むデータを抽出するように構成されるユーザデータ抽出モジュールとを含む、
請求項９に記載のユーザデータ追跡装置。
【発明の詳細な説明】
【技術分野】
【０００１】
本発明は移動通信分野に関し、特に長期進化型（ＬＴＥ：Ｌｏｎｇ  Ｔｅｒｍ  Ｅｖｏｌｕｔｉｏｎ）ネットワーク最適化及び動作監視におけるユーザデータ追跡方法及び装置に関する。
【背景技術】
【０００２】
商用通信ネットワークにおいて、ネットワークの性能指標及びユーザの動作をリアルタイムに監視する必要があり、あるユーザに問題が発生した場合に問題をタイムリーに解決することができる。ユーザがアクセスするときにユーザのいくつかの測定情報と対応するシグナリング情報を継続的に記録し、ユーザに異常が発生した場合、記録された該ユーザ装置（ＵＥ：Ｕｓｅｒ  Ｅｑｕｉｐｍｅｎｔ）の測定情報をバックエンドに報告し、ユーザの故障原因の分析を行う。したがって、ユーザの全ての動作データを関連付けて全体的な分析を行うことができ、これは非常に効果的な手段である。
【０００３】
現在、ユーザデータ追跡を実現する方法は、基地局とコアネットワークの間のデータ交換を追跡することで実現されるが、実際の応用中、該方法は現在のコアネットワークがユーザデータ追跡をサポートする必要があり、コアネットワークがサポートしない場合、この方法はさらに望ましくない。ユーザを追跡することが難しいだけでなく、より多くの時間と労力を費やす。
【発明の概要】
【０００４】
本発明は上記問題に対してユーザデータ追跡方法及び装置を提供し、ユーザデータ追跡方法は、ユーザ装置（ＵＥ）がサービスセルの基地局にアクセスする場合、前記サービスセルの基地局が前記ＵＥにＵＥグローバルレコード識別子（ＵＥＲｅｃｏｒｄＩｄ）を割り当てることと、前記ＵＥがターゲットセルの基地局に切り替えられた場合、前記ターゲットセルの基地局よりバックエンドネットワークマネージャ又は第三者アプリケーションに報告される前記ＵＥのデータ情報に前記ＵＥＲｅｃｏｒｄＩｄを載せるように、前記サービスセルの基地局が前記ＵＥのＵＥＲｅｃｏｒｄＩｄをターゲットセルの基地局に送信することと、前記サービスセルの基地局が前記ＵＥＲｅｃｏｒｄＩｄを載せる前記ＵＥのデータ情報を前記バックエンドネットワークマネージャ又は第三者アプリケーションに報告することとを含む。
【０００５】
上記解決策において、サービスセルの基地局が前記ＵＥに割り当てたＵＥＲｅｃｏｒｄＩｄは前記サービスセルの基地局における他のＵＥのＵＥＲｅｃｏｒｄＩｄと重複しなく、ＵＥＲｅｃｏｒｄＩｄは前記ネットワークマネージャバックエンド又は第三者アプリケーションが前記ＵＥのデータ情報を追跡することに用いられる。
【０００６】
上記解決策において、サービスセルの基地局が前記ＵＥＲｅｃｏｒｄＩｄをターゲットセルの基地局に送信することは、前記ＵＥがサービスセルからターゲットセルへ切り替えられる場合、前記サービスセルの基地局が前記ＵＥのＵＥＲｅｃｏｒｄＩｄを切り替えリクエストメッセージに載せて前記ターゲットセルの基地局に送信することを含む。
【０００７】
上記解決策において、ＵＥのデータ情報は、ＵＥのアクセス情報、ＵＥ能力情報、ＵＥの切り替え情報、およびＵＥの解放情報の少なくとも一つを含む。
【０００８】
上記解決策において、サービスセルの基地局が前記ＵＥＲｅｃｏｒｄＩｄを載せるＵＥのデータ情報をバックエンドネットワークマネージャ又は第三者アプリケーションに報告することは、前記サービスセルの基地局が基地局追跡ログを前記ネットワークマネージャバックエンド又は第三のアプリケーションに報告する際に、前記基地局追跡ログのＵＥデータ情報に前記ＵＥのＵＥＲｅｃｏｒｄＩｄを載せることを含む。
【０００９】
本発明による別のユーザデータ追跡方法は、バックエンドネットワークマネージャ又は第三者アプリケーションが基地局から報告された基地局追跡ログを受信した場合に、復号して同じＵＥグローバルレコード識別子（ＵＥＲｅｃｏｒｄＩｄ）を含むデータを抽出することを含む。
【００１０】
本発明によるユーザデータ追跡装置は、ＵＥがサービスセルの基地局にアクセスする場合、前記ＵＥにＵＥグローバルレコード識別子（ＵＥＲｅｃｏｒｄＩｄ）を割り当てるように構成される割り当てモジュールと、前記ＵＥがターゲットセルの基地局に切り替えられた場合、前記ターゲットセルの基地局よりバックエンドネットワークマネージャ又は第三者アプリケーションに報告される前記ＵＥのデータ情報に前記ＵＥＲｅｃｏｒｄＩｄを載せるように、前記ＵＥのＵＥＲｅｃｏｒｄＩｄをターゲットセルの基地局に送信するように構成される送信モジュールと、前記ＵＥＲｅｃｏｒｄＩｄを載せる前記ＵＥのデータ情報を報告するように構成される報告モジュールとを含む。
【００１１】
上記解決策において、割り当てモジュールが前記ＵＥに割り当てられたＵＥＲｅｃｏｒｄＩｄは前記サービスセルの基地局における他のＵＥのＵＥＲｅｃｏｒｄＩｄと重複しなく、前記ＵＥＲｅｃｏｒｄＩｄは前記ネットワークマネージャバックエンド又は第三者アプリケーションが前記ＵＥのデータ情報を追跡するために構成される。
【００１２】
上記解決策において、前記送信モジュールはさらに前記ＵＥが前記サービスセルから前記ターゲットセルへ切り替えられる場合、前記ＵＥのＵＥＲｅｃｏｒｄＩｄを切り替えリクエストメッセージに載せて前記ターゲットセルの基地局に送信するように構成される。
【００１３】
上記解決策において、前記報告モジュールから報告される前記ＵＥのデータ情報は、ＵＥのアクセス技術、ＵＥ能力情報、ＵＥの切り替え情報、およびＵＥの解放情報の少なくとも一つを含む。
【００１４】
上記解決策において、前記報告モジュールはさらに基地局追跡ログをネットワークマネージャバックエンド又は第三者アプリケーションに報告する際に、基地局追跡ログのＵＥデータ情報に前記ＵＥのＵＥＲｅｃｏｒｄＩｄを載せるように構成される。
【００１５】
前記割り当てモジュール、前記送信モジュール、前記報告モジュールは処理を実行する際に、中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｎｇｎａｌ  Ｐｒｏｃｅｓｓｏｒ）又はフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）を使用して実現することができる。
【００１６】
本発明による別のユーザデータ追跡装置は、バックエンドネットワークマネージャ又は第三者アプリケーションに位置し、基地局から報告された基地局追跡ログを受信し、前記基地局追跡ログをユーザデータ抽出モジュールに送信するように構成される受信モジュールと、受信された前記基地局追跡ログを復号して同じＵＥグローバルレコード識別子（ＵＥＲｅｃｏｒｄＩｄ）を含むデータを抽出するように構成されるユーザデータ抽出モジュールとを含む。
【００１７】
前記受信モジュール、前記ユーザデータ抽出モジュールは処理を実行する際に、中央処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｎｇｎａｌ  Ｐｒｏｃｅｓｓｏｒ）又はフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）を使用して実現することができる。
【００１８】
本発明の方法又は装置によれば、ＵＥがサービスセルの基地局にアクセスする場合、サービスセルの基地局がＵＥにＵＥグローバルレコード識別子（ＵＥＲｅｃｏｒｄＩｄ）を割り当て、ＵＥがターゲットセルの基地局に切り替えられた場合、サービスセルの基地局はＵＥのＵＥＲｅｃｏｒｄＩｄをターゲットセルの基地局に送信し、サービスセル基地局とターゲットセルの基地局は、前記ＵＥのデータ情報をネットワークマネージャバックエンド又は第三者アプリケーションに報告する時に該ＵＥのＵＥＲｅｃｏｒｄＩｄを搬送する。バックエンドネットワークマネージャ又は第三者アプリケーションは、基地局から報告された基地局追跡ログを受信した場合に、復号して同じＵＥＲｅｃｏｒｄＩｄを含むデータを抽出する。これにより、全ネットワーク要素のユーザデータ追跡を実現し、且つコアネットワークのサポートを必要としないため、ユーザデータ追跡の信頼性を向上させ、時間と労力を節約する。
【図面の簡単な説明】
【００１９】
【図１】本発明の実施例１によるユーザデータ追跡方法のフローチャートである。
【図２】ＵＥＲｅｃｏｒｄＩｄ生成ルールを示す図である。
【図３】本発明の例１のフローチャートである。
【図４】本発明の実施例２によるユーザデータ追跡方法のフローチャートである。
【図５】本発明の実施例３によるユーザデータ追跡装置の構成図である。
【図６】本発明の実施例４によるユーザデータ追跡装置の構成図である。
【発明を実施するための形態】
【００２０】
以下に図面と具体的な実施例を組み合わせて本発明の技術的解決策を詳しく説明する。
【００２１】
実施例１
本発明の実施例１はユーザデータ追跡方法を提供し、図１に示すように、該方法は、以下のステップを含む。
【００２２】
ステップ１０１：ＵＥがサービスセルにアクセスする場合、サービスセルの基地局がＵＥにＵＥＲｅｃｏｒｄＩｄを割り当てる。
【００２３】
ステップ１０２：該ＵＥがターゲットセルに切り替えられた場合、前記ターゲットセルの基地局よりバックエンドネットワークマネージャ又は第三者アプリケーションに報告される前記ＵＥのデータ情報に前記ＵＥＲｅｃｏｒｄＩｄを載せるように、前記サービスセルの基地局が該ＵＥのＵＥＲｅｃｏｒｄＩｄをターゲットセルの基地局に送信する。
【００２４】
ステップ１０３：前記サービスセルの基地局が前記ＵＥＲｅｃｏｒｄＩｄを載せる前記ＵＥのデータ情報を前記バックエンドネットワークマネージャ又は第三者アプリケーションに報告する。
【００２５】
上記ＵＥＲｅｃｏｒｄＩｄはバックエンドネットワークマネージャ又は第三者アプリケーションが前記ＵＥのデータ情報を追跡することに用いられる。
【００２６】
具体的に実現する場合、ステップ１０１においてサービスセルの基地局がＵＥにＵＥＲｅｃｏｒｄＩｄを割り当てる基本的な原則は単一で、重複しないものであり、即ちサービスセルの基地局が該サービスセルにアクセスしたＵＥに割り当てたＵＥＲｅｃｏｒｄＩｄは唯一であり、該サービスセルの基地局における他のＵＥのＵＥＲｅｃｏｒｄＩｄと相互に重複しない。具体的には、ＵＥＲｅｃｏｒｄＩｄは８バイトで構成されてもよく、構成方式は進化型基地局の識別子（ｅＮＢ  ＩＤ：ｅＮｏｄｅＢ  Ｉｄｅｎｔｉｆｉｅｒ）、ＭＮＣ（移動ネットワークコード：Ｍｏｂｉｌｅ  Ｎｅｔｗｏｒｋ  Ｃｏｄｅ）を組み合わせて生成するというルールを用いることができる。図２はＵＥＲｅｃｏｒｄＩｄ生成ルールを示す図である。図２に示すように、０〜３番目のバイトの２８個のビット（ｂｉｔ）がｅＮＢ  ＩＤとして充填され、プロトコルに従って、マクロ基地局のｅＮＢ  ＩＤに対して２０個のｂｉｔのみを使用する必要があり、マクロ基地局のｅＮＢ  ＩＤに対して２８個のｂｉｔを使用する必要がある。３番目のバイトの後の４個のｂｉｔと４番目のバイトの８個のｂｉｔの合計１２個のｂｉｔはＰＬＭＮ（公衆陸上モバイルネットワーク：Ｐｕｂｌｉｃ  Ｌａｎｄ  Ｍｏｂｉｌｅ）におけるＭＮＣ内容を充填することに用いられ、ＭＮＣは最大１２個のｂｉｔであり、これは異なるＰＬＭＮにおいてｅＮＢＩＤの構成が同じであってＵＥＲｅｃｏｒｄＩｄの重複を引き起こすことを防止する。５〜７番目のバイトが１つの数字として充填され、該数字が１から、ｅＮＢを単位としてＵＥＲｅｃｏｒｄＩｄを割り当てるたびに１増加し、最大値に達した後に反転し、即ち該数字がｏｘ０１１からｏｘＦＦＦＦＦＦに増加した後に反転する。
【００２７】
単一のＬＴＥ基地局の条件で、ユーザの該基地局でのＵＥＲｅｃｏｒｄＩｄは変化しなく、基地局は、ＵＥのデータ情報をバックエンドネットワークマネージャ又は第三者アプリケーションに報告する時に該ＵＥＲｅｃｏｒｄＩｄを搬送する。ＵＥのデータ情報は、ＵＥのアクセス情報、能力情報、切り替え情報、および解放情報などの少なくとも一つを含むことができる。
【００２８】
ステップ１０２において、サービスセルの基地局がＵＥＲｅｃｏｒｄＩｄをターゲットセルの基地局に送信することは、具体的に実現される場合にサービスセルの基地局がターゲットセルの基地局に送信される切り替えリクエストメッセージにＵＥＲｅｃｏｒｄＩｄを載せることであってもよい。具体的には、Ｓ１切り替えシーンにおいて、サービスセルの基地局は、ターゲットセルの基地局に送信される切り替えリクエスト（Ｈａｎｄｏｖｅｒ  Ｒｅｑｕｉｒｅｄ）にセルを追加してＵＥＲｅｃｏｒｄＩｄを載せる。Ｘ２切り替えシーンにおいて、サービスセルの基地局は、ターゲットセルの基地局に送信される切り替えリクエスト（Ｈａｎｄｏｖｅｒ  Ｒｅｑｕｉｒｅｄ）にセルを追加してＵＥＲｅｃｏｒｄＩｄを載せる。ターゲットセルの基地局は、ＵＥのＵＥＲｅｃｏｒｄＩｄを受信した場合に該ＵＥのＵＥＲｅｃｏｒｄＩｄを保存し、且つ該ＵＥのデータ情報をバックエンド又は第三者アプリケーションに報告する時に、該ＵＥＲｅｃｏｒｄＩｄを搬送する。ＵＥがサービスセルから離れた後、サービスセルの基地局はユーザのＵＥＲｅｃｏｒｄＩｄを削除する。
【００２９】
サービスセルの基地局とターゲットセルの基地局がＵＥのデータ情報を報告する時にＵＥＲｅｃｏｒｄＩｄを搬送することは、具体的に実現される場合に基地局がイベントタイプに応じて基地局追跡ログ情報をネットワークマネージャバックエンド又は第三者アプリケーションに報告する時に、該ログ情報のＵＥデータ情報にＵＥのＵＥＲｅｃｏｒｄＩｄ情報を含めることであってもよい。
【００３０】
ネットワークマネージャバックエンド又は第三者アプリケーションは報告されたデータとシグナリングを分析し、その中から復号して同じＵＥＲｅｃｏｒｄＩｄを含むデータとシグナリングを抽出することで、同じＵＥＲｅｃｏｒｄＩｄのデータを関連付け、それによってユーザデータ追跡の目的を達成する。
【００３１】
上記ユーザデータ追跡方法の基本的なステップに基づき、異なるタスク操作方式のトリガシーンが異なり、以下にいくつかの典型的な例で本発明をさらに説明する。
【００３２】
以下に具体的な例で本発明の実施例１によるユーザデータ追跡方法を詳しく説明する。
【００３３】
例１
図３は本発明の例１のフローチャートであり、ユーザがＳ１切り替えを行うシーンにおいてユーザデータ追跡を行う方法を示す。図３に示すように、以下のステップを含む。
【００３４】
ステップ３０１：ＵＥはアクセスセルの基地局Ａにアクセスする。
【００３５】
ステップＳ３０２：基地局Ａは該ＵＥのために一つのＵＥＲｅｃｏｒｄＩｄを生成し、且つＵＥのデータ情報をネットワークマネージャ又は第三者アプリケーションに報告する時に該ＵＥＲｅｃｏｒｄＩｄを搬送する。
【００３６】
本ステップにおいてＵＥのデータ情報は、主にコールタイプ、ｅＮＢＩＤ、物理セル情報、およびＵＥ能力情報などを含む。
【００３７】
ステップ３０３：ＵＥがサービスセルの基地局Ａからターゲットセルの基地局Ｂに切り替えられる場合、基地局Ａは切り換えリクエストメッセージを介して該ＵＥのＵＥＲｅｃｏｒｄＩｄを基地局Ｂに搬送する。
【００３８】
実際の実現過程に、Ｓ１切り替えシーンにおいて、基地局ＡはＨａｎｄｏｖｅｒ  Ｒｅｑｕｉｒｅｄにおけるセルｓｏｕｒｃｅ  Ｔｏ  Ｔａｒｇｅｔ  Ｔｒａｎｓｐａｒｅｎｔ  Ｃｏｎｔａｉｎｅｒを介してＵＥのＵＥＲｅｃｏｒｄＩｄを基地局Ｂに搬送することができる。
【００３９】
ステップ３０４：ＵＥがターゲットセルに切り替えられた場合、ターゲットセルの基地局Ｂは、該ＵＥのＵＥＲｅｃｏｒｄＩｄを保存し、且つＵＥのデータ情報をネットワークバックエンド又は第三者アプリケーションに報告する時に該ＵＥＲｅｃｏｒｄＩｄを搬送することができる。
【００４０】
本ステップにおけるＵＥのデータ情報は、主にＵＥの切り替え情報、例えば切り替えインターフェイスタイプ、切り替えタイプ、切り替えソース側／ターゲット側、切り替え理由、切り替えセル情報、切り替え開始時間、終了時間などを含む。
【００４１】
切り替える場合、基地局Ａと基地局Ｂは、ＵＥの切り替え情報を報告し、且つ該切り換え情報にＵＥＲｅｃｏｒｄＩｄを載せる。切り替えが完了された場合、サービスセル基地局ＡはＵＥの解放情報、例えば解放理由、解放タイプ、正常／異常解放などを報告し、同様に報告される該解放情報にＵＥＲｅｃｏｒｄＩｄを載せ、その後基地局ＡはユーザのＵＥＲｅｃｏｒｄＩｄを削除する。
【００４２】
ステップ３０５：ネットワークマネージャ又は第三者アプリケーションは、基地局Ａと基地局Ｂから報告されたＵＥのデータ情報を受信し、データ復号を行い、同じＵＥＲｅｃｏｒｄＩｄを含むデータ情報を抽出し、さらに該ＵＥのアクセス、切り替え、解放などの動作を分析し、ユーザデータの追跡を完了する。
【００４３】
実際の実現過程に、ユーザがＸ２切り替えを行う場合、ユーザデータ追跡フローは上記Ｓ１切り替えシーンにおけるユーザデータ追跡フローと類似するため、ここで説明を省略する。
【００４４】
実施例２
本発明の実施例２はユーザデータ追跡方法を提供し、図４に示すように、該方法は、以下のステップを含む。
【００４５】
ステップ４０１：バックエンド又は第三者アプリケーションが基地局から報告された基地局追跡ログを受信する。
【００４６】
ステップ４０２：バックエンド又は第三者アプリケーションは、復号して前記基地局追跡ログにおける同じＵＥグローバルレコード識別子（ＵＥＲｅｃｏｒｄＩｄ）を含むデータを抽出する。
【００４７】
実施例３
本発明の実施例３はユーザデータ追跡装置を提供し、図５に示すように、該ユーザデータ追跡装置は割り当てモジュール０１、送信モジュール０２と報告モジュール０３を含む。ここで、割り当てモジュール０１は、ＵＥがサービスセルの基地局にアクセスする場合、前記ＵＥにＵＥＲｅｃｏｒｄＩｄを割り当てるように構成される。送信モジュール０２は、前記ＵＥがターゲットセルの基地局に切り替えられた場合、前記ターゲットセルの基地局からバックエンドネットワークマネージャ又は第三者アプリケーションに報告される前記ＵＥのデータ情報に前記ＵＥＲｅｃｏｒｄＩｄを載せるように、前記ＵＥのＵＥＲｅｃｏｒｄＩｄをターゲットセルの基地局に送信するように構成される。報告モジュール０３は、前記ＵＥＲｅｃｏｒｄＩｄを載せる前記ＵＥのデータ情報を報告するように構成される。
【００４８】
具体的に実現する場合、割り当てモジュール０１が前記ＵＥに割り当てたＵＥＲｅｃｏｒｄＩｄは、記サービスセルの基地局における他のＵＥのＵＥＲｅｃｏｒｄＩｄと重複しない。前記送信モジュール０２は前記ＵＥがサービスセルからターゲットセルへ切り替えられる場合、前記ＵＥのＵＥＲｅｃｏｒｄＩｄを切り替えリクエストメッセージに載せて前記ターゲットセルの基地局に送信するように構成される。
【００４９】
前記報告モジュール０３から報告される前記ＵＥのデータ情報は、ＵＥのアクセス情報、ＵＥ能力情報、ＵＥの切り替え情報、およびＵＥの解放情報などの少なくとも一つを含むことができる。
【００５０】
前記報告モジュール０３はさらに基地局追跡ログをネットワークマネージャバックエンド又は第三者アプリケーションに報告する際に、基地局追跡ログのＵＥデータ情報に前記ＵＥのＵＥＲｅｃｏｒｄＩｄを載せるように構成される。
【００５１】
実施例４
本発明の実施例４はユーザデータ追跡装置を提供し、バックエンドネットワークマネージャ又は第三者アプリケーションに位置し、図６に示すように、該ユーザデータ追跡装置は受信モジュール０４、およびユーザデータ抽出モジュール０５を含む。
【００５２】
前記受信モジュール０４は、基地局から報告された基地局追跡ログを受信し、前記基地局追跡ログを前記ユーザデータ抽出モジュールに送信するように構成される。
【００５３】
前記ユーザデータ抽出モジュール０５は、受信された前記基地局追跡ログを復号して同じＵＥグローバルレコード識別子（ＵＥＲｅｃｏｒｄＩｄ）を含むデータを抽出するように構成される。
【００５４】
本発明のユーザデータ追跡装置、及び該装置の割り当てモジュール、送信モジュール、報告モジュール、受信モジュール、及びユーザデータ抽出モジュールは、基地局におけるプロセッサにより実現されてもよく、また具体的な論理回路により実現されてもよく、またソフトウェア又はソフトウェアとハードウェアの組み合わせにより実現されてもよい。実際の応用において、前記プロセッサは中央処理装置（ＣＰＵ：Ｃｅｎｔｒａｌ  Ｐｒｏｃｅｓｓｉｎｇ  Ｕｎｉｔ）、マイクロプロセッサ（ＭＰＵ：Ｍｉｃｒｏ  Ｐｒｏｃｅｓｓｏｒ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）又はフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）などであってもよい。
【００５５】
上記は本発明の最適的な実施例に過ぎなく、本発明の保護範囲を限定するためのものではない。
【産業上の利用可能性】
【００５６】
本発明の方法又は装置によれば、ＵＥがサービスセルの基地局にアクセスする場合、サービスセルの基地局がＵＥにＵＥグローバルレコード識別子（ＵＥＲｅｃｏｒｄＩｄ）を割り当て、ＵＥがターゲットセルの基地局に切り替えられた場合、サービスセルの基地局はＵＥのＵＥＲｅｃｏｒｄＩｄをターゲットセルの基地局に送信し、サービスセル基地局とターゲットセルの基地局は、前記ＵＥのデータ情報をネットワークマネージャバックエンド又は第三者アプリケーションに報告する時に該ＵＥのＵＥＲｅｃｏｒｄＩｄを搬送する。バックエンドネットワークマネージャ又は第三者アプリケーションは基地局から報告された基地局追跡ログを受信した場合に、復号して同じＵＥＲｅｃｏｒｄＩｄを含むデータを抽出する。これにより、全ネットワーク要素のユーザデータ追跡を実現し、且つコアネットワークのサポートを必要としないため、ユーザデータ追跡の信頼性を向上させ、時間と労力を節約する。
【図１】
0006623403.tif 000002
【図２】
0006623403.tif 000003
【図３】
0006623403.tif 000004
【図４】
0006623403.tif 000005
【図５】
0006623403.tif 000006
【図６】
0006623403.tif 000007